(57)【要約】【課題】空気の巻き込みを無くして、ペン先からのインク漏れを確実に防止でき、ペン先のゴミが発生することなくインクタンク交換が容易にできかつインクタンクが可撓して残量確認が容易な筆記具を提供する。【解決手段】インク供給機構１４は、インクタンク１２内から流入したインクを一旦収容する収容空間部１６と、収容空間部１６内のインクがインクタンク１２内に戻ることを規制してペン芯１０側にのみ送るようにするための弁体１８とを筒状の収容軸２０内に設けたものであって、ペン芯１０を後端側に移動することにより収容空間部１６内のインクをペン芯１０に供給し、前記弁体１８がガイドピストン体２２に係合し、かつ、ガイドピストン体２２の連通路を塞ぎ、その後、その後端側からペン芯１０が前端側に向けて移動することによってインクタンク１２内のインクを収容空間部１６内に移動する。【選択図】図７
2011173317.tif 000002
【特許請求の範囲】
【請求項１】
先端側にペン芯を取り付け、かつ、後端側にインク消費に伴い可撓するインクタンクを取り付けたインク供給機構を有する筆記具であって、
インク供給機構は、インクタンク内から流入したインクを一旦収容する収容空間部と、収容空間部内のインクがインクタンク内に戻ることを規制してペン芯側にのみ送るようにするための弁体とを筒状の収容軸内に設け、内周部に前方のペン芯にインクを流通させる連通路があって外周部にピストン構造を設けた、ペン芯と共に前後動するガイドピストン体と、ガイドピストン体が回転方向に移動が規制されてそのピストン構造が内周面に摺接する前部、前記弁体が内側突出壁後面に当接してその前方移動を規制する中央部、およびインクタンク内に連通する連通孔が開口形成された後部からなり、内部が収容空間部になる受け体と、前記受け体の連通孔の開口に当接・離脱して前記連通口を閉鎖・開口する前記弁体とを備え、
前記ガイドピストン体および弁体には、前記ガイドピストン体が後端側に移動したときに互いに係合する係合部をそれぞれ設け、後端側から前端側に移動したときに前記受け体の中央部の内側突出壁に弁体が接触してそれぞれの係合部同士の係合が外れるようにしたものであって、
前記インク供給機構は、不使用時に、弁体によって受け体の後部の連通孔を閉鎖し、一方、使用時に、ペン芯を後端側に移動するに伴いガイドピストン体が後端側に移動することによって、前記収容空間内のインクが連通路をペン芯に流通し、前記弁体がガイドピストン体に係合し、かつ、ガイドピストン体の連通路を塞ぎ、その後、ペン芯を前端側に戻すに伴い前記ガイドピストン体および弁体が共に前端側に移動し、インクタンクから前記収容空間部内にインクが流通し、ペン芯が前端側に戻りきった際、弁体が前記受け体の中央部の内側突出壁に接触することによって弁体が後方側に移動し受け体後部の連通孔を閉鎖する不使用時の状態に戻るようにしたことを特徴とする筆記具。
【請求項２】
前記ガイドピストン体の係合部は、その後部内周に係合突起を形成し、
前記弁体は、前方に延びて棒部を形成し当該棒部の前部に係合部として前記突起に係合する係合溝を形成したものであることを特徴とする請求項１に記載の筆記具。
【請求項３】
前記弁体は、その前面にカム面を形成し、前記受け体の中央部の内側突出壁後面にカム面を形成し、該後面のカム面に、弁体前面のカム面が接触することによって、ガイドピストン体の係合部と弁体の係合部との係合が解除することを特徴とする請求項２に記載の筆記具。
【請求項４】
前記受け体の収容空間部内には、前記ガイドピストン体を前方に向けて付勢するスプリング部材と、弁体を後方に向けて付勢するスプリング部材とを設けたことを特徴とする請求項１から３のうちの１項に記載の筆記具。
【請求項５】
可撓性の有るインクタンクは、インク供給機構から取り外して交換可能な請求項１から４のうちの１項に記載の筆記具。
【請求項６】
インクタンク内のインクは蒸気圧の高い揮発性溶剤を含有するものであることを特徴とする請求項１から５のうちの１項に記載の筆記具。
【発明の詳細な説明】
【技術分野】
【０００１】
本発明は、ボードマーカー、工業用マーカーを初めとする多用途で使うことができ、また、筆記終了後の廃棄物の少ないことから環境への意識が高いユーザの利用等、産業上の有益性のある筆記具に関する。
【背景技術】
【０００２】
昨今、対象物にマーキングする筆記具において、環境負荷低減等の理由でインクタンク（インクカートリッジ）を交換する技術が提案されている。
【０００３】
例えば、特開２００１−２８７４９４号（特許文献１）によって、インクタンク交換式の筆記具が開示されている。しかしながら、この筆記具では、温度変化や気圧変化等によってインクタンク内部の圧力が上昇し、筆記時等にバルブを開放した際にペン先から予期しないインク吹き出しや漏れを起こすことがある。
【０００４】
そこで、特開２０００−１７７２９０号（特許文献２）に開示のように、可撓性容器をインクタンクにした塗布具が提案されている。
【０００５】
しかしながら、この種の塗布具において、可撓性容器のインクタンクにペン先チップも一体になっているので、インクタンクを交換する際に、ペン先チップまでをも交換が必要になり、交換後はペン先チップのゴミが発生する。
【０００６】
また、液を流出させるためには液の自重で可撓性容器を撓ませる必要があるため、安定した塗付が困難である。
【０００７】
なお、特開２００５−２１８９６１号（特許文献３）は、可撓性容器をインクタンクにした塗布具である。この塗布具ではインクタンクを塗付部材と切り離すことが可能であるが、塗布時に空気置換する可能性があり、安定した塗付が困難である。
【０００８】
また、実開平０７−００４３６４号（特許文献４）は、軟質袋体を内蔵したポンプである。これを筆記具に転用しようとして、ピストン部材にペン芯を取り付けた筆記具にすることを考えると、逆向きに使用した際に、ポンプが作動せず、流が流出しない等の問題がある。
【先行技術文献】
【特許文献】
【０００９】
【特許文献１】特開２００１−２８７４９４号公報
【特許文献２】特開２０００−１７７２９０号公報
【特許文献３】特開２００５−２１８９６１号公報
【特許文献４】実開平０７−００４３６４号公報
【発明の概要】
【発明が解決しようとする課題】
【００１０】
本発明は、斯かる実情に鑑み、空気の巻き込みを無くして、ペン先からのインク漏れを確実に防止でき、ペン先のゴミが発生することなくインクタンク交換が容易にできかつインクタンクが可撓して残量確認が容易な筆記具を提供しようとするものである。
【課題を解決するための手段】
【００１１】
本発明は、先端側にペン芯を取り付け、かつ、後端側にインク消費に伴い可撓するインクタンクを取り付けたインク供給機構を有する筆記具であって、
インク供給機構は、インクタンク内から流入したインクを一旦収容する収容空間部と、収容空間部内のインクがインクタンク内に戻ることを規制してペン芯側にのみ送るようにするための弁体とを筒状の収容軸内に設け、内周部に前方のペン芯にインクを流通させる連通路があって外周部にピストン構造を設けた、ペン芯と共に前後動するガイドピストン体と、ガイドピストン体が回転方向に移動が規制されてそのピストン構造が内周面に摺接する前部、前記弁体が内側突出壁後面に当接してその前方移動を規制する中央部、およびインクタンク内に連通する連通孔が開口形成された後部からなり、内部が収容空間部になる受け体と、前記受け体の連通孔の開口に当接・離脱して前記連通口を閉鎖・開口する前記弁体とを備え、
前記ガイドピストン体および弁体には、前記ガイドピストン体が後端側に移動したときに互いに係合する係合部をそれぞれ設け、後端側から前端側に移動したときに前記受け体の中央部の内側突出壁に弁体が接触してそれぞれの係合部同士の係合が外れるようにしたものであって、
前記インク供給機構は、不使用時に、弁体によって受け体の後部の連通孔を閉鎖し、一方、使用時に、ペン芯を後端側に移動するに伴いガイドピストン体が後端側に移動することによって、前記収容空間内のインクが連通路をペン芯に流通し、前記弁体がガイドピストン体に係合し、かつ、ガイドピストン体の連通路を塞ぎ、その後、ペン芯を前端側に戻すに伴い前記ガイドピストン体および弁体が共に前端側に移動し、インクタンクから前記収容空間部内にインクが流通し、ペン芯が前端側に戻りきった際、弁体が前記受け体の中央部の内側突出壁に接触することによって弁体が後方側に移動し受け体後部の連通孔を閉鎖する不使用時の状態に戻るようにしたことを特徴とする筆記具である。
【００１２】
本発明において、前記ガイドピストン体の係合部は、その後部内周に係合突起を形成し、前記弁体は、前方に延びて棒部を形成し当該棒部の前部に係合部として前記突起に係合する係合溝を形成したものであることが好適である。
【００１３】
また、本発明において、前記弁体は、その前面にカム面を形成し、前記受け体の中央部の内側突出壁後面にカム面を形成し、該後面のカム面に、弁体前面のカム面が接触することによって、ガイドピストン体の係合部と弁体の係合部との係合が解除することが好適である。
【００１４】
本発明において、前記受け体の収容空間部内には、前記ガイドピストン体を前方に向けて付勢するスプリング部材と、弁体を後方に向けて付勢するスプリング部材とを設けたことが好適である。
【００１５】
また、本発明において、可撓性の有るインクタンクは、インク供給機構から取り外して交換可能なことが好適である。
【００１６】
本発明において、インクタンク内のインクは蒸気圧の高い揮発性溶剤を含有するものであることが好適である。
【発明の効果】
【００１７】
本発明の筆記具によれば、先端側にペン芯を取り付け、かつ、後端側にインク消費に伴い可撓するインクタンクを取り付けたインク供給機構を有する筆記具であるので、インク消費に応じてインクタンクが変形するので、空気置換の必要がない。
【００１８】
そして、インク供給機構は、インクタンク内から流入したインクを一旦収容する収容空間部と、収容空間部内のインクがインクタンク内に戻ることを規制してペン芯側にのみ送るようにするための弁体とを筒状の収容軸内に設け、内周部に前方のペン芯にインクを流通させる連通路があって外周部にピストン構造を設けた、ペン芯と共に前後動するガイドピストン体と、ガイドピストン体が回転方向に移動が規制されてそのピストン構造が内周面に摺接する前部、前記弁体が内側突出壁後面に当接してその前方移動を規制する中央部、およびインクタンク内に連通する連通孔が開口形成された後部からなり、内部が収容空間部になる受け体と、前記受け体の連通孔の開口に当接・離脱して前記連通口を閉鎖・開口する前記弁体とを備えるので、ペン芯を後端側に移動することにより収容空間部内のインクをペン芯に供給し、一方、その後端側からペン芯が前端側に向けて移動することによってインクタンク内のインクを収容空間部内に移動して、インク供給機構の操作によってインクタンク内のインクをペン芯に送り込み筆記に供することができるものである。
【００１９】
前記ガイドピストン体および弁体には、前記ガイドピストン体が後端側に移動したときに互いに係合する係合部をそれぞれ設け、後端側から前端側に移動したときに前記受け体の中央部の内側突出壁に弁体が接触してそれぞれの係合部同士の係合が外れるようにしたものであるので、ペン芯の操作によって、ガイドピストン体が移動し弁体を係合して弁体を作動でき、したがって、ガイドピストン体および弁体等を簡単な構成にして、弁体の操作ができる。
【００２０】
そして、インク供給機構は、不使用時に、弁体によって受け体の後部の連通孔を閉鎖し、一方、使用時に、ペン芯を後端側に移動するに伴いガイドピストン体が後端側に移動することによって、前記収容空間内のインクが連通路をペン芯に流通し、前記弁体がガイドピストン体に係合し、かつ、ガイドピストン体の連通路を塞ぎ、その後、ペン芯を前端側に戻すに伴い前記ガイドピストン体および弁体が共に前端側に移動し、インクタンクから前記収容空間部内にインクが流通し、ペン芯が前端側に戻りきった際、弁体が前記受け体の中央部の内側突出壁に接触することによって弁体が後方側に移動し受け体後部の連通孔を閉鎖する不使用時の状態に戻るようにしたので、不使用時には確実に弁体が連通孔を塞いでインクの漏れを無くし、かつ、使用時には確実にペン芯にインクを送込むことができる。
【００２１】
なお、前記ガイドピストン体の係合部は、その後部内周に係合突起を形成し、弁体に前方に延びて棒部を形成し当該棒部の前部に係合部として前記突起に係合する係合溝を形成したものにすれば、係合部が簡単な構成になり、成形が容易である。
【００２２】
また、前記弁体はその前面にカム面を形成し、前記受け体の中央部の内側突出壁後面にカム面を形成し、該後面のカム面に、弁体前面のカム面が接触することによって、ガイドピストン体の係合部と弁体の係合部との係合が解除するようにできる。
【００２３】
また、前記受け体の収容空間部内には、前記ガイドピストン体を前方に向けて付勢するスプリング部材と、弁体を後方に向けて付勢するスプリング部材とを設けたことにより確実にペン芯を前方に付勢し、かつ、弁体を後方に付勢した連通孔を塞ぐことができる。
【００２４】
また、可撓性の有るインクタンクは、インク供給機構から取り外して交換可能にすることで、廃棄するゴムにインク供給機構が含まれず、廃棄処理を便利に行うことができる。
【００２５】
また、インクタンク内のインクは蒸気圧の高い揮発性溶剤を含有するものにできる。インクが揮発性溶剤を含有するものでも可撓性のあるインクタンクであるからインクタンクがインクの減りに応じて内容積が減少し、インクタンク内に空間が生じないので、インクが揮発することが無くまたは生じないので、長期間の貯蔵においてもインクタンクが溶剤の揮発ガスで膨らみにくく保管が容易である。
【図面の簡単な説明】
【００２６】
【図１】本発明の実施形態に係る筆記具の全体図であって、（ａ）がキャップ装着時、（ｂ）がキャップ非装着時である。
【図２】図１の筆記具において、ペン芯を設けたインク供給機構の説明図であって、（ａ）が前方斜視図、（ｂ）が前方視図、（ｃ）が側面図、（ｄ）が縦断面図、（ｅ）が後方斜視図、（ｆ）が後方視図である。
【図３】図１の筆記具において、ガイドピストン体の説明図であって、（ａ）が前方斜視図、（ｂ）が前方視図、（ｃ）が縦断面図、（ｄ）が側面図、（ｅ）が（ｃ）より９０°回転させた位置の縦断面図、（ｆ）が後方斜視図、（ｇ）が後方視図である。
【図４】図１の筆記具において、受け体の説明図であって、（ａ）が前方斜視図、（ｂ）が前方視図、（ｃ）が（ａ）と別角度の前方斜視図、（ｄ）が縦断面図、（ｅ）が側面図、（ｆ）が（ｄ）と別角度の縦断面図、（ｇ）が後方斜視図、（ｈ）が後方視図、（ｉ）が（ｇ）と別角度の前方斜視図である。
【図５】図１の筆記具において、弁体の説明図であって、（ａ）が前方斜視図、（ｂ）が前方視図、（ｃ）が側面図、（ｄ）が（ｃ）より９０°回転させた位置の側面図、（ｅ）が後方斜視図、（ｆ）が後方視図である。
【図６】図１の筆記具において、インクタンクの説明図であって、（ａ）が側面図、（ｂ）が縦断面図である。
【図７】（ａ）〜（ｄ）は図２のインク供給機構の作動において、ペン芯を押圧操作してガイドピストン体が後方側に移動するときの、そのガイドピストン体が弁体に係合するまでの作動説明図である。
【図８】（ａ）〜（ｄ）は図２のインク供給機構の作動において、ペン芯を押圧操作後、ガイドピストン体が前方側に移動するときの、そのガイドピストン体が弁体の係合が解除するまでの作動説明図である。
【発明を実施するための形態】
【００２７】
以下、本発明の実施形態について、添付図面を参照して説明する。
【００２８】
図１は、本発明の実施形態に係る筆記具の全体図であって、（ａ）がキャップ装着時、（ｂ）がキャップ非装着時である。図２の（ａ）〜（ｆ）は、図１の筆記具において、ペン芯を設けたインク供給機構の各説明図である。図３の（ａ）〜（ｇ）は図１の筆記具において、ガイドピストン体の説明図である。図４の（ａ）〜（ｉ）は図１の筆記具において、受け体の説明図である。図５の（ａ）〜（ｆ）は図１の筆記具において、弁体の説明図である。図６の（ａ）〜（ｂ）は図１の筆記具において、インクタンクおよびそれを収容する後軸の説明図である。図７の（ａ）〜（ｄ）は前記インク供給機構の作動で、ペン芯を押圧操作してガイドピストン体が後方側に移動するときの、そのガイドピストン体が弁体に係合するまでの作動説明図で、図８の（ａ）〜（ｄ）は前記インク供給機構の作動で、図７に続いて、ペン芯を押圧操作後ガイドピストン体が前方側に移動するときの、そのガイドピストン体が弁体の係合が解除するまでの作動説明図である。
【００２９】
図１は、本発明の実施形態に係る筆記具の全体図であって、（ａ）がキャップ装着時、（ｂ）がキャップ非装着時である。
【００３０】
図１に示すように、実施形態に係る筆記具は、先端側にペン芯１０を取り付け、かつ、後端側にインク消費に伴い可撓するインクタンク１２を取り付けたインク供給機構１４を有する筆記具である。不使用時には図１（ａ）に示すように、キャップ８をペン芯１０を覆って継手２８および収容軸２０前方に嵌着し、使用時には、図１（ｂ）に示すように、キャップ８を外してペン芯１０を露出する。この筆記具は、ペン芯１０を対象物に押圧することによりインクタンク１２内インクをペン芯１０に供給する形式の筆記具である。
【００３１】
図２は、図１の筆記具において、ペン芯を設けたインク供給機構の説明図であって、（ａ）が前方斜視図、（ｂ）が前方視図、（ｃ）が側面図、（ｄ）が縦断面図、（ｅ）が後方斜視図、（ｆ）が後方視図である。
【００３２】
図２に示すように、インク供給機構１４は、インクタンク１２内から流入したインクを一旦収容する収容空間部１６と、収容空間部１６内のインクがインクタンク１２内に戻ることを規制してペン芯１０側にのみ送るようにするための弁体１８とを筒状の収容軸２０内に設けたものであって、ペン芯１０を後端側に移動することにより収容空間部１６内のインクをペン芯１０に供給し、一方、その後端側からペン芯１０が前端側に向けて移動することによってインクタンク１２内のインクを収容空間部１６内に移動するものである。
【００３３】
図２に示すように、前記インク供給機構１４は、主に、ガイドピストン体２２と、受け体２４と、弁体１８と、スプリング部材２６（第１のスプリング部材４０および第２のスプリング部材４２）を前記収容軸２０内に設けたものである。各部構成の詳細は以下のようになっている。
【００３４】
図３は、図１の筆記具において、ガイドピストン体の説明図であって、（ａ）が前方斜視図、（ｂ）が前方視図、（ｃ）が縦断面図、（ｄ）が側面図、（ｅ）が（ｃ）より９０°回転させた位置の縦断面図、（ｆ）が後方斜視図、（ｇ）が後方視図である。
【００３５】
図２および図３に示すように、収容軸２０は内部中央にガイドピストン体２２が前後動可能に挿通する孔のある壁部２０ａが形成され、前部２０ｂが後部２０ｃより細径の概略筒状の軸体である。
【００３６】
この収容軸２０には、壁部２０ａを挟んで前部２０ｂ内に継手２８後部が嵌着し、また後部２０ｃ内に受け体２４が装着されている。前記継手２８前部から後部にかけての内周部には、ペン芯１０が挿通しており、そのペン芯１０の先端１０ａが継手２８開口から前方に突出して露出している。また、ペン芯１０の後部に前部よりも細径になった挿着部分１０ｂが形成され、その挿着部分１０ｂが前記ガイドピストン体２２前端部内に挿通されている。前記継手２８内には、ペン芯１０の後部からガイドピストン体２２前端部の外周に渡って、一時インク保留体である多孔質体（スポンジ体等）３０が筒状形状を呈して収容されている。この多孔質体３０によってインク供給機構１４内でインクを一時貯留するので、ガイドピストン体２２内を流れてペン芯１０に向かうインクが間欠的でも多孔質体３０で一時貯留できるので安定的にインクをペン芯に供給できる。
【００３７】
図２〜図３に示すように、ガイドピストン体２２は、前記内周部に前方のペン芯（ペン芯１０の挿着部分１０ｂ）にインクを流通させる中空の連通路がある筒状本体２２ａ外周部に壁状のピストン構造２２ｂを設けた、ペン芯１０と共に前後動するものである。後部内周部には係合突起２２ｃが内向きに突出形成されている。円形壁状のピストン構造２２ｂの外周縁部には、等間隔に複数の切欠き２２ｄが凹状に形成されている。
【００３８】
図４は、図１の筆記具において、受け体の説明図であって、（ａ）が前方斜視図、（ｂ）が前方視図、（ｃ）が（ａ）と別角度の前方斜視図、（ｄ）が縦断面図、（ｅ）が側面図、（ｆ）が（ｄ）と別角度の縦断面図、（ｇ）が後方斜視図、（ｈ）が後方視図、（ｉ）が（ｇ）と別角度の前方斜視図である。
【００３９】
図２、図４に示すように、受け体２４は、ガイドピストン体２２が回転方向に移動が規制されてそのピストン構造２２ｂが内周面に摺接する前部２４ａ、前記弁体１８が内側突出壁３２後面に当接してその前方移動を規制する中央部、およびインクタンク１２内に連通する連通孔２４ｃが開口形成された後部２４ｂからなり、受け体２４全体の内部が収容空間部１６になるものである。
【００４０】
受け体２４の前部２４ａにおいて、前記ガイドピストン体２２との回転方向への移動を規制する構造は、前部２４ａ内周面に内向きに突出したスプライン状の山状突起２４ｄが軸方向に延びて形成されているものであり、この山状突起２４ｄを前記ガイドピストン体２２の切欠き２２ｄに挿入して互いに係合させる構造になっているものである。
【００４１】
また、受け体２４の後部２４ｂは、前記受け体２４の内側突出壁３２より後方側開口に嵌入するよう、受け体２４の前部および中央部とは別体に形成された、概略中空椀状を呈しているものである。この後部２４ｂでは、後方側が段状に縮径して、弁体１８（の本体１８ａ）が当接する座面２４ｅが形成されており、その縮径部分より後方側が、さらに細径になって管状に延びた挿入管部３４になっているものである。座面２４ｅ付近で後部２４ｂの挿入管部３４の連通孔２４ｃが開口しており、この連通孔２４ｃは挿入管部３４に装着したインクタンク１２に連通する。挿入管部３４をインクタンク１２の先端内に挿入させてインクタンク１２内を座面２４ｅを介して収容空間部１６に連通させる構造になっている。
【００４２】
また、上記内側突出壁３２と後部２４ｂの座面２４ｅとの間が弁体１８の本体１８ａの移動空間３６となる。
【００４３】
図５は、図１の筆記具において、弁体の説明図であって、（ａ）が前方斜視図、（ｂ）が前方視図、（ｃ）が側面図、（ｄ）が（ｃ）より９０°回転させた位置の側面図、（ｅ）が後方斜視図、（ｆ）が後方視図である。
【００４４】
図２、図５に詳細に示すように、上記の弁体１８は、後方窄まりの円錐側面形状の本体１８ａが前記受け体２４の連通孔２４ｃの開口である座面２４ｅに当接・離脱して前記連通孔２４ｃを閉鎖・開口するものである。なお、弁体１８の移動によって、連通孔２４ｃを閉鎖・開口する状態は図７〜図８に基づき後述する。
【００４５】
前記ガイドピストン体２２および弁体１８には、前記ガイドピストン体２２が後端側に移動したときに前記ガイドピストン体２２および弁体１８が互いに係合する係合部をそれぞれ設けており、弁体１８の本体１８ａが上記の移動空間３６内を後端側から前端側に移動したときに前記受け体２４の中央部の内側突出壁３２に弁体１８の本体１８ａが接触してそれぞれの係合部同士の係合が外れるようにしたものである。
【００４６】
詳しくは、前記ガイドピストン体２２の係合部は、その筒状本体２２ａの後部内周に係合突起２２ｃを形成したものである。前記弁体１８は、その本体１８ａ前面中央部から前方に延びる棒部１８ｂを形成し当該棒部１８ｂの段状に細径になった前部に係合部として前記係合突起２２ｃに係合する係合溝１８ｃを形成したものである。弁体１８の棒部１８ｂがガイドピストン体２２筒状本体２２ａに挿入されており、棒部１８ｂ外周面と筒状本体２２ａ内周面の間の隙間を設定しており、その隙間を通って筒状本体２２ａの内部の連通路を通ってインクが流通可能になっている。また、弁体１８の棒部１８ｂは中央部が後広がりに拡径しており、前記棒部１８ｂが前記筒状本体２２ａに挿入されて、係合突起２２ｃが係合溝１８ｃの奥所に係合した状態のときに、棒部１８ｂの拡径した部分で筒状本体２２ａの後部を塞いでその連通路を閉鎖できる構造になっている。
【００４７】
前記弁体１８棒部１８ｂの係合溝１８ｃは、図５に示すように、当該棒部１８ｂの周面に前端から若干の螺旋を描きかつ奥所（係合溝１８ｃ後端部）で周方向に曲がる概略Ｌ字形状を呈するように形成されており、その係合溝１８ｃの奥所に前記係合突起２２ｃが嵌り込むことによって、前記ガイドピストン体２２に弁体１８が係合状態になる。前記対の係合突起２２ｃに対応して、係合溝１８ｃは周方向に２箇所に対で形成されている。
【００４８】
また、図４〜図５に示すように、前記弁体１８の本体１８ａには、その前面に楔状斜面のカム面３８を形成し、一方、前記受け体２４の中央部の内側突出壁３２後面に楔状斜面のカム面３２ａを形成している。該後面のカム面３２ａに、弁体１８前面のカム面３８が接触することによって、前記弁体１８が反係合方向に回転して、弁体１８の係合部である前記係合溝１８ｃに嵌り込んでいたガイドピストン体２２の係合部である係合突起２２ｃの係合が解除する。なお、収容軸２０、受け体２４、ガイドピストン体２２、弁体１８の材質は、いずれもポリプロピレン、ポリエチレン等の成形樹脂が好適である。なお、弁体１８は受けた２４との当接部分にエラストマーやシリコーンゴム等を用いて、液密性を向上できる。
また、前記受け体２４の収容空間部１６内に収容しているスプリング部材２６には、前記ガイドピストン体２２を前方に向けて付勢する第１のスプリング部材４０と、弁体１８を後方に向けて付勢する第２のスプリング部材４２とがある。第１のスプリング部材４０は、前端が前記ガイドピストン体２２の後面側に、また、後端が内側突出壁３２の前面に当接して収容されている。また、第２のスプリング部材４２は、別体に形成した場合に内側突出壁３２に適宜に固定すればよい。
【００４９】
また、この第１のスプリング部材４０および第２のスプリング部材４２はステンレス材等をコイル状に巻いたコイルスプリングからなり、第１のスプリング部材４０および第２のスプリング部材４２同士を連続形成しても独立形成してもよい。第１のスプリング部材４０および第２のスプリング部材４２は、少なくとも一方の材質を樹脂材で構成することができる。また、第１のスプリング部材４０および第２のスプリング部材４２は一つに構成されていてもよい。
【００５０】
図６は、図１の筆記具において、インクタンクの説明図であって、（ａ）が側面図、（ｂ）が縦断面図である。
【００５１】
可撓性の有るインクタンク１２は、インク供給機構１４から取り外して交換可能ものである。詳細には、図６に示すように、外装に筆記時に問題の無い剛性の有る外装軸１２ａ内に可撓性のインクタンク本体１２ｂを収容したものである。インクタンク本体１２ｂは内装するインクの性質で劣化などの影響を受けない材質であって、柔軟な可撓性があれば種々の材料を利用できる。例えば、直鎖状低密度ポリエチレン（ＬＬＤＰＥ）を基材として、周囲をポリエチレンテレフタレート（ＰＥＴ）で接着した袋体とする。さらに、ＬＬＤＰＥ層とＰＥＴ層の中間にアルミ蒸着層を構成すれば、インク内容液の揮発とガス流出の抑制性を向上させることが出来るので、好ましい。
【００５２】
前記インクタンク本体１２ｂに取り付ける供給口（スパウト）１２ｃは、インク供給機構１４の接続口である挿入管部３４を差込んで装着した際に、内容液のインクが流出しない構成であればよいため、とくに材質や構成は限定せず、各種構成をとりうる。図６の場合、供給口１２ｃの枠体に内に弾性のあるゴムやエラストマーの差し込み壁を設け、その差し込み壁に挿入管部３４を差込んでインクタンク本体１２ｂ内のインクをインク供給機構１４に送込むようになっている。
【００５３】
また、インクタンク１２内収容のインクは蒸気圧の高い揮発性溶剤を含有するものである。インクタンクに収容するインクの組成は、例えばエタノール、メタノール、アセトン、メチルエチルケトン、酢酸エチル、酢酸メチル、酢酸プロピル、酢酸ブチル、ヘキサン、イソヘキサン、メチルシクロヘキサン、トルエン、キシレン、ジクロロメタン、トリクロロエチレン、ジエチルエーテルの一種または複数種からなる揮発瀬溶剤を含むインクを収容できる。
【００５４】
以下に、インク供給機構１４の作動を説明する。
【００５５】
図７（ａ）〜（ｄ）は図２のインク供給機構の作動において、ペン芯を押圧操作してガイドピストン体が後方側に移動するときの、そのガイドピストン体が弁体に係合するまでの作動説明図である。そして、図８の（ａ）〜（ｄ）は図２のインク供給機構の作動において、ペン芯を押圧操作後、ガイドピストン体が前方側に移動するときの、そのガイドピストン体が弁体の係合が解除するまでの作動説明図である。
【００５６】
図７（ａ）に示すように、インク供給機構１４は、不使用時に、弁体１８によって受け体２４の後部の連通孔を閉鎖する。（ａ）がペン芯１０、ガイドピストン体２２の前端限位置に該当する。
【００５７】
一方、使用時に、図７（ｂ）から（ｄ）に示すように、ペン芯１０先端を筆記対象箇所に押し当てて筆記具を前端をさせることによってペン芯１０が後端側に移動させる。ペン芯１０押し付け力はスプリング部材２６の弾発力によって調整できる。前記ペン芯１０の後端側への移動に応じてガイドピストン体２２が後端側に移動することによって、ガイドピストン体２２のピストン構造２２ｂで前記収容空間部１６内のインクを押圧するので、インクが弁体１８の棒部１８ｂとガイドピストン体２２筒状本体２２ａとの間の隙間を通って筒状本体２２ａの内部の連通路を通って当該インクがペン芯１０に流通する。
【００５８】
ガイドピストン体２２が後端側への移動に伴って、筒状本体２２ａ内の係合突起２２ｃが弁体１８の係合溝１８ｃを摺動して行き、図７（ｄ）に示すように、係合溝１８ｃ後端の曲がり部分に係合することによって、前記ガイドピストン体２２が弁体１８に係合する。前記弁体１８の棒部１８ｂは中央部が後広がりに拡径しており、前記棒部１８ｂが前記筒状本体２２ａに挿入されて、係合突起２２ｃが係合溝１８ｃの奥所に係合した状態のときに、棒部１８ｂの拡径した部分で筒状本体２２ａの後部の連通路の開口を塞いでその連通路を閉鎖する。
【００５９】
一方、図８（ａ）〜（ｄ）に示すように、ペン芯１０への押圧をやめるとスプリング部材２６の弾発力でペン芯１０が前端側に戻るに伴い、前記ガイドピストン体２２および弁体１８が共に前端側に移動する。上記のようにガイドピストン体２２に弁棒体１８の係合状態では棒部１８ｂの拡径した部分で筒状本体２２ａの後部を塞いでおり、ガイドピストン体２２および弁体１８の前端側への移動によってガイドピストン体２２のピストン構造２２ｂが前記収容空間部１６内を負圧にするので、インクがインクタンク１２から前記収容空間部１６内に流入する。
【００６０】
弁体１８の前端側への移動によって、最終的に図８（ｄ）に示すように、ペン芯１０が前端側に戻りきった際、弁体１８が前記受け体２４の中央部の内側突出壁３２に接触する。この際、内側突出壁３２のカム面３２ａと弁体１８の前面のカム面３８が当接して作用し合い、弁体１８が回転して、筒状本体２２ａ内の係合突起２２ｃが弁体１８の係合溝１８ｃから離脱して係合が外れる。第２のスプリング部材４２の弾発力によって弁体１８が後方側に移動して受け体後部２４ｂの連通孔２４ｃを閉鎖する不使用時の状態（図７（ａ）に示す状態）に戻る。
【００６１】
上記説明したように、実施形態の筆記具によれば、先端側にペン芯１０を取り付け、かつ、後端側にインク消費に伴い可撓するインクタンク１２を取り付けたインク供給機構１４を有する筆記具であるので、インク消費に応じてインクタンク１２が変形するので、空気置換の必要がない。
【００６２】
そして、インク供給機構１４は、インクタンク１２内から流入したインクを一旦収容する収容空間部１６と、収容空間部１６内のインクがインクタンク１２内に戻ることを規制してペン芯１０側にのみ送るようにするための弁体１８とを筒状の収容軸２０内に設けたものであって、ペン芯１０を後端側に移動することにより収容空間部１６内のインクをペン芯１０に供給し、一方、その後端側からペン芯１０が前端側に向けて移動することによってインクタンク１２内のインクを収容空間部１６内に移動するものであるので、インク供給機構１４の操作によってインクタンク１２内のインクをペン芯１０に送り込み筆記に供することができる。
【００６３】
前記ガイドピストン体２２および弁体１８には、前記ガイドピストン体２２が後端側に移動したときに互いに係合する係合部をそれぞれ設け、後端側から前端側に移動したときに前記受け体２４の中央部の内側突出壁３２に弁体１８が接触してそれぞれの係合部同士の係合が外れるようにしたものであるので、ペン芯１０の操作によって、ガイドピストン体２２が移動し弁体１８を係合して弁体１８を作動させるので、ガイドピストン体２２および弁体１８等簡単な構成で弁体１８の操作ができる。
【００６４】
そして、インク供給機構１４は、不使用時に、弁体１８によって受け体２４の後部の連通孔２４ｃを閉鎖し、一方、使用時に、ペン芯１０を後端側に移動するに伴いガイドピストン体２２が後端側に移動することによって、前記収容空間内のインクが連通路をペン芯１０に流通すると共に、前記ガイドピストン体２２が弁体１８に係合し、その後、ペン芯１０を前端側に戻すに伴い前記ガイドピストン体２２および弁体１８が共に前端側に移動し、ペン芯１０が前端側に戻りきった際、弁体１８が前記受け体２４の中央部の内側突出壁３２に接触することによって弁体１８が後方側に移動し受け体２４後部の連通孔２４ｃを閉鎖する不使用時の状態に戻るようにしたので、不使用時には確実に弁体１８が連通孔２４ｃを塞いでインクの漏れを無くし、かつ、使用時には確実にペン芯１０にインクを送込むことができる。
【００６５】
なお、前記ガイドピストン体２２の係合部は、その後部内周に係合突起２２ｃを形成し、弁体１８に前方に延びて棒部１８ｂを形成し当該棒部１８ｂの前部に係合部として前記突起に係合する係合溝１８ｃを形成したものにすれば、係合部が簡単な構成になり、成形が容易である。
【００６６】
また、前記弁体１８はその本体１８ａ前面にカム面３８を形成し、前記受け体２４の中央部の内側突出壁３２後面にカム面３２ａを形成し、該後面のカム面３２ａに、弁体１８前面のカム面３８が接触することによって、ガイドピストン体２２の係合部と弁体１８の係合部との係合が解除するようにできる。
【００６７】
また、前記受け体２４の収容空間部１６内には、前記ガイドピストン体２２を前方に向けて付勢する第１のスプリング部材４０と、弁体１８を後方に向けて付勢する第２のスプリング部材４２とを設けたことにより確実にペン芯１０を前方に付勢し、かつ、弁体１８を後方に付勢した連通孔２４ｃを塞ぐことができる。
【００６８】
また、可撓性の有るインクタンク１２は、インク供給機構１４から取り外して交換可能にすることで、廃棄するゴムにインク供給機構１４が含まれず、廃棄処理を便利に行うことができる。
【００６９】
また、インクタンク１２内のインクは蒸気圧の高い揮発性溶剤を含有するものにできる。インクが揮発性溶剤を含有するものであっても可撓性のあるインクタンク１２であるからインクタンク１２がインクの減りに応じて内容積が減少し、凹み空間が生じないので、インクが揮発することが無くまたは生じないので、長期間の貯蔵においてもインクタンク１２が溶剤の揮発ガスで膨らみにくく保管が容易である。
【００７０】
なお、本発明は前記実施形態に限定されず、種々に変形実施できる。例えば、インクタンク１２は剛性が要求されなければ外装軸の無いものにできる。
【産業上の利用可能性】
【００７１】
本発明の筆記具は、特に、ボードマーカー、工業用マーカー等を初めとする多用途で使うことができ、また、筆記終了後の廃棄物の少ないことから環境に対する意識の高いユーザの利用等、産業上の有益性を向上させ得る筆記具として利用することができる。
【符号の説明】
【００７２】
１０  ペン芯
１０ａ  ペン芯の先端
１０ｂ  ペン芯の挿着部分
１２  インクタンク
１２ａ  インクタンクの外装軸
１２ｂ  インクタンク本体
１２ｃ  供給口
１４  インク供給機構
１６  収容空間部
１８  弁体
１８ａ  弁体の本体
１８ｂ  弁体の棒部
１８ｃ  弁体の係合溝
２０  収容軸
２０ａ  壁部
２０ｂ  前部
２０ｃ  後部
２２  ガイドピストン体
２２ａ  筒状本体
２２ｂ  ピストン構造
２２ｃ  係合突起
２４  受け体
２４ａ  受け体の前部
２４ｂ  受け体の後部
２４ｃ  受け体の連通孔
２４ｄ  受け体内周の山状突起
２４ｅ  座面
２６  スプリング部材
２８  継手
３２  内側突出壁
３２ａ  内側突出壁後面のカム面
３４  挿入管部
３６  移動空間
３８  弁体前面のカム面
４０  第１のスプリング部材
４２  第２のスプリング部材
【図１】
2011173317.tif 000003
【図２】
2011173317.tif 000004
【図３】
2011173317.tif 000005
【図４】
2011173317.tif 000006
【図５】
2011173317.tif 000007
【図６】
2011173317.tif 000008
【図７】
2011173317.tif 000009
【図８】
2011173317.tif 000010